(57)【要約】【課題】  複数の撮像手段を備えた撮像装置において、複数のＬＥＤ等の補助光を同時に発光させた場合、ピーク電流が大きくなる。【解決手段】  第１の補助光部と第２の補助光部と、第１の定電流部と第２の定電流部と、前記第１の補助光部のオンオフを制御する第１の制御信号と、前記第２の補助光部のオンオフを制御する第２の制御信号とを備え、前記第１の定電流部は前記第２の制御信号によって流れる電流のレベルが切り替わる。【選択図】  図１
2014016516.tif 000002
【特許請求の範囲】
【請求項１】
第１の撮像部と第２の撮像部と、第１の補助光部と第２の補助光部と、
第１の定電流部と第２の定電流部と、
前記第１の補助光部のオンオフを制御する第１の制御信号と、
前記第２の補助光部のオンオフを制御する第２の制御信号とを備え、
前記第１の定電流部は前記第２の制御信号によって流れる電流のレベルが切り替わること
を特徴とする撮像装置。
【請求項２】
前記第１および第２の補助光部が同時に発光する場合、前記第１の撮像部の感度をあげることを特徴とする請求項１に記載の撮像装置。
【請求項３】
前記第１および第２の補助光部が同時に発光する場合、前記第２の撮像部の感度をあげることを特徴とする請求項１に記載の撮像装置。
【請求項４】
前記第１の定電流部に流れる電流のレベルは、前記第２の補助光部がオフの時よりもオンの時の方が小さいことを特徴とする請求項１乃至請求項３の何れか１項に記載の撮像装置。
【発明の詳細な説明】
【技術分野】
【０００１】
本発明は、複数の撮像手段を備えた撮像装置に関し、例えばデジタルカメラに適用することができる。
【背景技術】
【０００２】
従来、被写体の輝度の不足を補うために撮影時に発光される撮影補助光源として、発光ダイオード（ＬＥＤ）を搭載した撮像装置が提案されている。
【０００３】
特許文献１では、複数種類の用途に用いられる複数組の光源を備え、それぞれの輝度を光源の用途に応じて設定できる発光装置が開示されている。ＬＥＤは、電流のレベルに応じた輝度で発光することが可能であり、特許文献１では、同一のＬＥＤ光源に流れる電流を切り替えることにより、ＡＦ補助光、セルフタイム表示、フラッシュ補助光などの複数の用途を実現している。
【０００４】
ところで、近年、携帯電話などの携帯端末には、携帯端末本体の正面と背面との両方に撮像手段を備えたものが提案されている。
【０００５】
特許文献２では、複数の撮像手段を備え、撮影者と被撮影者とを同一画像に記録することができる撮像装置が開示されている。
【先行技術文献】
【特許文献】
【０００６】
【特許文献１】特開２００７−１０１６８９号公報
【特許文献２】特開２００５−０９４７４１号公報
【発明の概要】
【発明が解決しようとする課題】
【０００７】
しかしながら、ＬＥＤを高輝度で発光させるには大電流を流す必要があり、複数の撮像手段を備えた撮像装置において、複数のＬＥＤ等の補助光を同時に発光させた場合、ピーク電流が大きくなるという問題がある。
【課題を解決するための手段】
【０００８】
本発明に係る撮像装置は、第１の撮像部と第２の撮像部と、第１の補助光部と第２の補助光部と、第１の定電流部と第２の定電流部と、
前記第１の補助光部のオンオフを制御する第１の制御信号と、
前記第２の補助光部のオンオフを制御する第２の制御信号とを備え、
前記第１の定電流部は前記第２の制御信号によって流れる電流のレベルが切り替わること
を特徴とする。
【発明の効果】
【０００９】
本発明によれば、複数の撮像手段を備えた撮像装置において、複数のＬＥＤ等の補助光を同時に発光させた場合、ピーク電流を低減することができる。
【図面の簡単な説明】
【００１０】
【図１】補助光部の回路構成を示した図
【図２】本発明の実施形態の機能ブロック図
【図３】撮像装置の動作を示すフローチャート
【図４】補助光部に流れる電流を示すタイミングチャート
【発明を実施するための形態】
【００１１】
以下に本発明を図面に基づいて詳しく説明する。
【実施例１】
【００１２】
図２は、本発明の撮像装置の第１の実施形態の機能ブロック図である。本実施例では、レンズや撮像素子からなる撮像部を２つ有している。
【００１３】
図２において、１００は第１撮像部、２００は第２撮像部である。
【００１４】
１０はレンズや絞り等からなる結像光学部であり、フォーカス調節や露出調節を行う。
１１は光学像を電気信号に変換するＣＣＤ等の撮像素子、１２は撮像素子からのアナログ画像信号をデジタル画像データに変換するＡ／Ｄ変換回路である。
【００１５】
１３はＡ／Ｄ変換回路１２から出力された画像データに、ガンマ処理、補間処理、マトリクス変換等を施して映像データを作成する信号処理部であり、映像データの圧縮／伸張も行う。
【００１６】
１４はメモリ（ＤＲＡＭ）１５との間で映像データや各種制御データの書き込み／読み出しを行うシステムバス、１６は各種制御を司るＣＰＵ、１７および１８はＬＥＤ等を含んだ補助光部、１９はシャッターボタンやズームレバーなどの操作部、２０は撮影画像をＳＤカードなどの記録媒体に記録する記録部、２１は画像データをＬＣＤモニターなどに表示する表示部である。
【００１７】
本実施例では、第１撮像部１００を撮像装置の正面に配置して前方の被写体を撮影し、第２撮像部２００を撮像装置の背面に配置して後方の被写体である撮影者を撮影する構成として説明する。
【００１８】
また、補助光部１７および補助光部１８は、それぞれ第１撮像部１００および第２撮像部２００の被写体の輝度の不足を補うために撮影時に発光される撮影補助光である。
【００１９】
なお、本実施例では、シャッターボタンの押下によって、第１撮像部１００および第２撮像部２００で同時に撮影が行われるものとする
本実施例の撮像装置の動作を図３のフローチャートを用いて説明する。
【００２０】
Ｓ３０１において、ＣＰＵ１６はシャッターボタンが半押しされたかどうかを判定する。
【００２１】
シャッターボタンが半押しされた場合、Ｓ３０２において、ＡＥ（自動露出）／ＡＦ（自動焦点）処理が行われ、結像光学部１０を制御してフォーカス調節や露出調節を行う。また、被写体輝度が不足している場合には、補助光部１７および１８の発光量を計算するとともにＡ／Ｄ変換回路１２のゲイン調整などの感度調整も行う。
【００２２】
Ｓ３０３において、ＣＰＵ１６はシャッターボタンが全押しされたかどうかを判定する。
【００２３】
シャッターボタンが全押しされた場合、Ｓ３０４において、露光処理が行われ、結像光学部１０に入射した光は撮像素子１１の受光面に結像され、撮像素子１１からアナログ画像信号が出力される。なお、Ｓ３０２のＡＥ処理において被写体輝度が不足している場合には、露光時間中に補助光部１７および１８の発光が行われる。
【００２４】
Ｓ３０５において、アナログ画像信号はＡ／Ｄ変換回路１２でデジタル画像データに変換され、信号処理部１３にデジタル画像データとして入力される。
【００２５】
Ｓ３０６において、現像処理が行われ、信号処理部１３に入力されたデジタル画像データは、ガンマ処理、補間処理、マトリクス変換、拡大縮小等が施され、映像データとしてシステムバス１４を介してメモリ１５に記憶される。
【００２６】
Ｓ３０７において、メモリ１５に記憶された映像データは、信号処理部１３で圧縮処理が行われ、作成された画像ファイルは記録部２０でＳＤカードなどの記録媒体に記録される。また、表示部２１は、メモリ１５に記憶された映像データを読み出してＬＣＤモニターなどに表示する。
【００２７】
図１は、補助光部の回路構成を示した図である。
【００２８】
図１において、１７および１８はＬＥＤ等を含んだ補助光部であり、ＣＰＵ１６から発光のオンオフを制御される。
【００２９】
２２は電源であり、補助光部１７および１８に電源を供給する。
【００３０】
２３および２４は定電流部であり、補助光部に含まれるＬＥＤ等に流れる電流を制御することにより、発光する輝度を調整している。
【００３１】
本実施例では、第２の補助光部１８のオンオフ制御信号が第１の定電流部２３の切替信号として入力されており、第２の補助光部１８のオンオフ制御と連動して第１の定電流部２３の電流値が切り替わる。すなわち、第１の定電流部２３の電流値は、第２の補助光部１８がオンになる期間の方がオフになる期間よりも電流値が低く設定される。
【００３２】
補助光部の発光／非発光は、第１撮像部１００および第２撮像部２００の被写体の輝度によって、
（ケース１）補助光を発光しない
（ケース２）第１の補助光部１７のみ発光する
（ケース３）第２の補助光部１８のみ発光する
（ケース４）第１の補助光部１７および第２の補助光部１８の両方発光する
という４つの場合がある。
【００３３】
（ケース２）から（ケース４）の場合の補助光部に流れる電流について、図４のタイミングチャートを用いて説明する。
【００３４】
時刻ｔ１〜時刻ｔ２が（ケース２）に相当し、第１の補助光部１７には一定の電流が流れて、Ｓ３０２のＡＥ処理において算出された発光量に達するまでＬＥＤ等が発光する。
【００３５】
時刻ｔ３〜時刻ｔ４が（ケース３）に相当し、同様に、第２の補助光部１８には一定の電流が流れて、Ｓ３０２のＡＥ処理において算出された発光量に達するまでＬＥＤ等が発光する。
【００３６】
時刻ｔ５〜時刻ｔ７が（ケース４）に相当する。
【００３７】
時刻ｔ５〜時刻ｔ６において、第１の補助光部１７および第２の補助光部１８の両方とも発光するが、前述したように第１の補助光部１７に流れる電流は、（ケース２）の場合よりも小さい。
【００３８】
そして、時刻ｔ６において、第２の補助光部１８の発光が終了すると、第１の補助光部１７に流れる電流は増加して、（ケース２）の場合と同じになる。
【００３９】
これにより、時刻ｔ５〜時刻ｔ６において、２つの補助光部が同時に発光した場合でもピーク電流を低減することが可能である。
【実施例２】
【００４０】
第１の実施形態では、第１の補助光部１７および第２の補助光部１８の両方とも発光する期間、第１の補助光部１７に流れる電流を小さくしたので、ＬＥＤ等の輝度が低くなり、所望の発光量を得るのに必要な発光時間が長くなってしまう。
【００４１】
第２の実施形態では、Ｓ３０２のＡＥ処理において、第１撮像部１００および第２撮像部２００でどちらも被写体の輝度が不足している場合、すなわち、２つの補助光部が同時に発光する場合、第１撮像部１００のＡ／Ｄ変換回路１２のゲイン調整で感度を上げるように設定する。
【００４２】
これにより、第１の補助光部１７で必要な発光量が小さくなるので、発光時間が長くなるのを防ぐことができる。
【実施例３】
【００４３】
第３の実施形態では、Ｓ３０２のＡＥ処理において、２つの補助光部が同時に発光する場合、第１撮像部１００ではなく、第２撮像部２００のＡ／Ｄ変換回路１２のゲイン調整で感度を上げるように設定する。
【００４４】
これにより、第２の補助光部１８の発光時間が短くなり、２つの補助光部が同時に発光する期間が短くなる。従って、第１の補助光部１７の発光時間は第１の実施形態よりも短くすることができる。
【符号の説明】
【００４５】
１００  第１撮像部
２００  第２撮像部
１０  結像光学部
１１  撮像素子
１２  Ａ／Ｄ変換回路
１３  信号処理部
１４  システムバス
１５  メモリ
１６  ＣＰＵ
１７  第１の補助光部
１８  第２の補助光部
１９  操作部
２０  記録部
２１  表示部
【図１】
2014016516.tif 000003
【図２】
2014016516.tif 000004
【図３】
2014016516.tif 000005
【図４】
2014016516.tif 000006